(57)【要約】【課題】  開閉器を操作する操作機構部の切、断路、接地操作を確実に行う。【解決手段】  入、切、断路、接地を操作する開閉器の制御回路において、前記切と前記断路とを操作する第１のモータ操作回路１２と、前記断路と前記接地とを操作する第２のモータ操作回路１３と、前記第１のモータ操作回路１２と前記第２のモータ操作回路１３とで動作するモータ１１とを備え、前記第１のモータ操作回路１２と前記第２のモータ操作回路１３とは、切り替えスイッチ１４、１９で電源が切り替わることを特徴とする。【選択図】  図１
2007227200.tif 000002
【特許請求の範囲】
【請求項１】
入、切、断路、接地を操作する開閉器の制御回路において、
前記切と前記断路とを操作する第１のモータ操作回路と、
前記断路と前記接地とを操作する第２のモータ操作回路と、
前記第１のモータ操作回路と前記第２のモータ操作回路とで動作するモータとを備え、
前記第１のモータ操作回路と前記第２のモータ操作回路とは、切り替えスイッチで電源が切り替わることを特徴とする開閉器の制御回路。
【請求項２】
前記第１のモータ操作回路は、切から断路を操作する第１のモータ正回転制御回路と、断路から切を操作する第１のモータ逆回転制御回路からなり、
前記第２のモータ操作回路は、断路から接地を操作する第２のモータ正回転制御回路と、接地から断路を操作する第２のモータ逆回転制御回路からなることを特徴とする請求項１に記載の開閉器の制御回路。
【請求項３】
前記第１のモータ正回転制御回路と前記第１のモータ逆回転制御回路、および前記第２のモータ正回転制御回路と前記第２のモータ逆回転制御回路とは、それぞれ切り替えスイッチで電源が切り替わることを特徴とする請求項２に記載の開閉器の制御回路。
【請求項４】
入、切、断路、接地を操作する開閉器の制御回路において、
前記切と前記断路とを操作する第１の電磁アクチュエータ操作回路と、
前記断路と前記接地とを操作する第２の電磁アクチュエータ操作回路とを備え、
前記第１の電磁アクチュエータ操作回路と前記第２の電磁アクチュエータ操作回路とは、切り替えスイッチで電源が切り替わることを特徴とする開閉器の制御回路。
【発明の詳細な説明】
【技術分野】
【０００１】
本発明は、開閉器の操作機構の制御回路に係り、特に入、切、断路、接地を有する開閉器の制御回路に関する。
【背景技術】
【０００２】
従来、単一の絶縁容器内の接点を操作し、入、切、断路、接地（４位置）を行なう開閉器が知られている。この種の開閉器は、図２に示すように、入、切、断路、接地を行なう真空バルブ部１ａと、その操作を行なう操作機構部１ｂから構成されている（例えば、特許文献１参照。）。
【０００３】
真空バルブ部１ａには、真空絶縁容器２内に、固定側接点３、固定側接点３と接離する可動側接点４、および可動側接点４に連結された第１の接地電極５が設けられている。また、真空絶縁容器２には、第１の接地電極５ａに接離する第２の接地電極５ｂが固定されている。
【０００４】
操作機構部１ｂには、バネのバネ力により入、切を操作するバネ操作部６ａと、切から断路、接地を操作するモータ操作部６ｂとが設けられている。バネ操作部６ａでは、図示しない制御回路からの信号でバネを蓄勢し、その放勢により接点３、４間を高速で接離させる（入、切）。また、モータ操作部６ｂでは、図示しない制御回路からの信号でモータを動作させ、接点３、４間を切から更に開離させる断路、および第１の接地電極５ａと第２の接地電極５ｂとを接離させる（断路、接地）。
【０００５】
一方、入、切、断路、接地（４位置）の操作を、アーマチュア、ソレノイドコイルなどを用いて行なうものが知られている。いずれの位置も図示しない制御回路からの信号でソレノイドコイルを励磁し、接点に連結されているアーマチュアを移動させている（例えば、特許文献２参照。）。
【特許文献１】特開２００３−２５７２９０号公報  （第３ページ、図１）
【特許文献２】特開２０００−１６４０８４号公報  （第１６ページ、図１６）
【発明の開示】
【発明が解決しようとする課題】
【０００６】
上記の従来の開閉器の制御回路においては、次のような問題がある。
【０００７】
入、切、断路、接地のうち切から断路を操作する場合、リレーや制御スイッチなどの制御回路の誤動作から断路での停止が行なわれず、モータやソレノイドコイルが継続して動作し、接地まで動作しまうことが起こり得る。接地になると、これは地絡事故であり、電源系統に大きな影響を与えることになる。このため、入、切、断路、接地のうち、切と断路、そして断路と接地、を確実に操作できる制御回路が望まれていた。
【０００８】
本発明は上記問題を解決するためになされたもので、それぞれの操作を確実に行うことのできる開閉器の制御回路を提供することを目的とする。
【課題を解決するための手段】
【０００９】
上記目的を達成するために、本発明の開閉器の制御回路は、入、切、断路、接地を操作する開閉器の制御回路において、前記切と前記断路とを操作する第１のモータ操作回路と、前記断路と前記接地とを操作する第２のモータ操作回路と、前記第１のモータ操作回路と前記第２のモータ操作回路とで動作するモータとを備え、前記第１のモータ操作回路と前記第２のモータ操作回路とは、切り替えスイッチで電源が切り替わることを特徴とする。
【発明の効果】
【００１０】
本発明によれば、入、切、断路、接地を操作する制御回路に、切と断路とを操作できる第１のモータ操作回路と、断路と接地とを操作できる第２のモータ操作回路とを設け、これらのモータ操作回路を切り替えスイッチで電源を切り替えているので、それぞれの操作を確実に行うことができる。
【発明を実施するための最良の形態】
【００１１】
以下、図面を参照して本発明の実施例を説明する。
【実施例】
【００１２】
本発明の実施例に係る開閉器の制御回路を図１を参照して説明する。図１は、本発明の実施例に係る開閉器の制御回路図である。なお、開閉器の構成は、図２と同様であるので、その説明を省略する。
【００１３】
図１に示すように、開閉器の制御回路は、入、切をバネで操作するバネ操作回路１０と、モータ１１を動作させて切、断路を行う第１のモータ操作回路１２と、同様のモータ１１を動作させて断路、接地を行う第２のモータ操作回路１３とから構成されている。
【００１４】
バネ操作回路１０では、入、切をするためのバネの蓄勢および放勢の操作が行われる。なお、図示しないインターロックにより、断路、接地の操作は行われないようになっている。
【００１５】
第１のモータ操作回路１２には、切／断路操作スイッチ１４、切→断路操作スイッチ１５、およびモータ１１を正回転させて切から断路にさせる第１のモータ正回転制御回路１６が直列に接続されている。また、切／断路操作スイッチ１４の二次側には、断路→切操作スイッチ１７とモータ１１を逆回転させて断路から切にさせる第１のモータ逆回転制御回路１８とが直列に接続されている。切→断路操作スイッチ１５と断路→切操作スイッチ１７とは、一方が閉路のときは他方が開路する切り替えスイッチとなっている。
【００１６】
第２のモータ操作回路１３には、断路／接地操作スイッチ１９、断路→接地操作スイッチ２０、およびモータ１１を正回転させて断路から接地にさせる第２のモータ正回転制御回路２１が直列に接続されている。また、断路／接地操作スイッチ１９の二次側には、接地→断路操作スイッチ２２とモータ１１を逆回転させて接地から断路にさせる第２のモータ逆回転制御回路２３とが直列に接続されている。断路→接地操作スイッチ２０と接地→断路作スイッチ２２とは、一方が閉路のときは他方が開路する切り替えスイッチとなっている。
【００１７】
ここで、モータ１１を動作させる第１のモータ操作回路１２の切／断路操作スイッチ１４、および第２のモータ操作回路１３の断路／接地操作スイッチ１９は、一方が閉路のときは他方が開路する切り替えスイッチとなっている。
【００１８】
次に、これらの操作を説明する。
【００１９】
バネ操作回路１０により入、切の操作が行われ、切から断路を操作する場合には、切／断路操作スイッチ１４を閉路する。そして、切→断路操作スイッチ１５を閉路し、第１のモータ正回転制御回路１６を通電し、モータ１１を動作させる。モータ１１は、切から断路になると、図示しない断路の位置を検出する位置スイッチで停止するようになっている。なお、前記位置スイッチなどが誤動作しても、断路／接地操作スイッチ１９が開路となっているので、第２のモータ操作回路１３には電源が供給されておらず、断路を通り過ぎて接地までの操作をすることができない。
【００２０】
断路から接地を操作する場合には、断路／接地操作スイッチ１９を閉路する。そして、断路→接地操作スイッチ２０を閉路し、第２のモータ正回転制御回路２１を通電し、モータ１１を動作させる。モータ１１は、接地になると、図示しない接地の位置を検出する位置スイッチで停止するようになっている。なお、切／断路操作スイッチ１４が開路しているので、第１のモータ操作回路１２には電源が供給されておらず、断路から接地方向と逆方向の切への操作をすることができない。
【００２１】
接地から断路を操作する場合には、断路／接地操作スイッチ１９を閉路する。そして、接地→断路操作スイッチ２２を閉路し、第２のモータ逆回転制御回路２３を通電し、モータ１１を動作させる。モータ１１は、断路になると、図示しない断路の位置を検出する位置スイッチで停止するようになっている。なお、前記位置スイッチなどが誤動作しても、切／断路操作スイッチ１４が開路しているので、第１のモータ操作回路１２には電源が供給されておらず、断路を通り過ぎて切までの操作をすることができない。切になってしまうと入の操作が可能となる。
【００２２】
断路から切を操作する場合には、切／断路操作スイッチ１４を閉路する。そして、断路→切操作スイッチ１７を閉路し、第１のモータ逆回転制御回路１８を通電し、モータ１１を動作させる。モータ１１は、切になると、図示しない切の位置を検出する位置スイッチで停止するようになっている。なお、断路／接地操作スイッチ１９が開路しているので、第２のモータ操作回路１３には電源が供給されておらず、断路から切方向と逆方向の接地への操作をすることができない。
【００２３】
このように一つのモータ１１で切、断路、接地を操作する制御回路において、切と断路、および断路と接地を、電源が切り替わる第１のモータ操作回路１２と第２のモータ操作回路１３とで操作することにより、切から断路する場合に断路を通り過ぎて接地までの操作や、接地から断路にする場合に断路を通り過ぎて切までの操作などをすることができず、切、断路、接地の操作を確実に行うことができる。
【００２４】
上記実施例の開閉器の制御回路によれば、切と断路とを操作する第１のモータ操作回路１２と、断路と接地とを操作する第２のモータ操作回路１３とを、電源が切り替わる切／断路操作スイッチ１４と断路／接地操作スイッチ１９とで行っているので、切、断路、接地の操作を確実に行うことができる。
【００２５】
なお、本発明は、上記実施例に限定されるものではなく、発明の要旨を逸脱しない範囲で、種々変形して実施することができる。上記実施例では、切、断路、接地の操作をモータ１１で操作するもので説明したが、永久磁石、アーマチュア、ソレノイドコイルを有する電磁アクチュエータを用い、ソレノイドコイルを励磁して、切と断路とを第１の電磁アクチュエータ操作回路（第１のモータ操作回路に相当）、断路と接地とを第２の電磁アクチュエータ操作回路（第２のモータ操作回路に相当）で操作し、互いの電磁アクチュエータ操作回路を電源が切り替わる操作スイッチとすれば、切、断路、接地の操作を確実に行うことができる。
【００２６】
また、入、切の操作をする主電磁アクチュエータ操作回路も、これら切、断路を操作する第１の電磁アクチュエータ操作回路、および断路、接地を操作する第２の電磁アクチュエータ操作回路と操作順に切り替わるものにすれば、入、切、断路、接地の全ての操作を確実に行うことができる。
【図面の簡単な説明】
【００２７】
【図１】本発明の実施例に係る開閉器の制御回路図。
【図２】開閉器の構成を示す構成図。
【符号の説明】
【００２８】
１ａ  真空バルブ部
１ｂ  操作機構部
２  真空絶縁容器
３  固定側接点
４  可動側接点
５ａ  第１の接地電極
５ｂ  第２の接地電極
６ａ  バネ操作部
６ｂ  モータ操作部
１０  バネ操作回路
１１  モータ
１２  第１のモータ操作回路
１３  第２のモータ操作回路
１４  切／断路操作スイッチ
１５  切→断路操作スイッチ
１６  第１のモータ正回転制御回路
１７  断路→切操作スイッチ
１８  第１のモータ逆回転制御回路
１９  断路／接地操作スイッチ
２０  断路→接地操作スイッチ
２１  第２のモータ正回転制御回路
２２  接地→断路操作スイッチ
２３  第２のモータ逆回転制御回路
【図１】
2007227200.tif 000003
【図２】
2007227200.tif 000004